(57)【要約】【課題】  メモリ容量が増加するなどの余分なコストアップを抑えつつ、多様な画像処理の要求に応えることができる画像処理装置を提供する。【解決手段】  原稿を読み取って得られたＲＧＢ画像データに基づいてエッジデータを生成するエッジデータ生成手段２１、ＲＧＢ画像データからモノクロ画像データを生成するモノクロ画像処理手段２３、カラー印刷の場合にはＲＧＢ画像データを第１の領域２４Ａに格納すると共にエッジデータを第２の領域２４Ｂに格納し、電子ファイル化の場合にはＲＧＢ画像データを第１の領域２４Ａに格納すると共にモノクロ画像データを第２の領域２４Ｂに格納するデータ格納制御手段３０とを備える。【選択図】  図１
2006186858.tif 000002
【特許請求の範囲】
【請求項１】
原稿を読み取る読取手段と、
この読取手段で原稿を読み取って得られたＲＧＢ画像データに基づいて原稿の各領域における特徴抽出を行い、その結果をエッジデータとして生成してＲＧＢ画像データと共に出力するエッジデータ生成手段と、
ＲＧＢ画像データに基づいてモノクロ画像データを生成するモノクロ画像処理手段と、
前記ＲＧＢ画像データが格納される第１の領域と、前記エッジデータとモノクロ画像データが格納される第２の領域とを有するメモリ手段と、
カラー印刷を行う場合にはＲＧＢ画像データを前記第１の領域に格納するとともに、前記エッジデータを第２の領域に格納し、また、読み取られた原稿の電子ファイル化を行う場合にはＲＧＢ画像データを前記第１の領域に格納するとともに、前記モノクロ画像データを前記第２の領域に格納するデータ格納制御手段とを備えることを特徴とする画像処理装置。
【請求項２】
前記モノクロ画像処理手段は、前記第１の領域の前段に設けられている前記エッジデータ生成手段から出力されるＲＧＢ画像データに基づいてモノクロ画像データを生成する請求項１記載の画像処理装置。
【請求項３】
前記第１の領域に格納されているＲＧＢ画像データを非可逆圧縮する非可逆圧縮手段と、
前記第２の領域に格納されているエッジデータあるいはモノクロ画像データを可逆圧縮する可逆圧縮手段を備える請求項１または請求項２に記載の画像処理装置。
【発明の詳細な説明】
【技術分野】
【０００１】
本発明は、デジタル複写機、プリンタ、複合機などの画像処理装置に関する。
【背景技術】
【０００２】
従来の画像形成装置として、例えば図２に示す構成のものが提供されている（例えば、特許文献１参照）。
【０００３】
この画像形成装置は、読取手段１０１において光源で原稿を照射し、その反射光を光学系を介してカラーＣＣＤ等の撮像素子で撮像する。これに応じて、読取手段１０１からはＲ、Ｇ、Ｂの色信号が取り出されるので、この色信号をＡ／Ｄ変換手段１０２でデジタル化してＲＧＢ画像データとした後、次段の入力データ補正手段１０３においてシェーディング補正を行なう。
【０００４】
次いで、エッジデータ生成手段１０４において、ＲＧＢ画像データに基づいて原稿の各領域における特徴抽出（例えば、文字等のエッジ判定、網点部分の判定など）を行い、これにより得られる画像に関する属性データをエッジデータとして生成してＲＧＢ画像データと共に出力する。
【０００５】
続いて、エッジデータ生成手段１０４から出力されるこれらのデータは共にメモリ手段１０５に送出され、ＲＧＢ画像データは第１の領域１０５Ａに、エッジデータは第２の領域１０５Ｂに記憶される。
【０００６】
次いで、メモリ手段１０５の各領域１０５Ａ、１０５Ｂに記憶されているＲＧＢ画像データとエッジデータは、共に変換手段１０６に送出される。変換手段１０６は、エッジデータを参照してＲＧＢ画像データをＣＭＹＫ画像データに変換して印刷手段１０７に送出する。
【０００７】
印刷手段１０７では、ＣＭＹＫ画像データを静電潜像として感光体ドラム上に形成してこれを用紙上に転写、定着処理をして印刷を行う。
【特許文献１】特開２０００−２７８５０６号公報
【発明の開示】
【発明が解決しようとする課題】
【０００８】
原稿を読み取って用紙にカラー印刷する場合には、図２に示した従来の画像形成装置で十分に対応することが可能である。
【０００９】
しかしながら、近年は、マルチメデア技術の発達により、様々の画像データを取り扱う必要が生じている。このため、画像形成装置についても、原稿を読み取ってこれを単純に用紙にカラー印刷するという機能だけでは不十分で、原稿を読み取って得られる画像データについて各種の画像処理を行いたいという要求がある。
【００１０】
例えば、原稿を読み取って得られる画像データをハードディスク、ＣＤ、ＤＶＤ等の記憶媒体に格納したり、通信ネットワークを通じてパーソナルコンピュータ等の他の装置に送信したり、また、上記の記憶媒体に格納したり他の装置に送信する際にもＲＧＢ画像データとモノクロ画像データとで圧縮率を変えるようにしたり、また、上記の記憶媒体に格納する際にも、画像データと文字データとをそれぞれ高圧縮した上で送信して通信処理速度を高めたり、データベースとして登録して活用したりするなど、各種の画像処理の要求がある。
【００１１】
したがって、図２に示した従来構成の画像形成装置では、このような多様な画像処理の要求に対して未だ十分に対応することが難しい。
【００１２】
しかも、例えばモノクロ画像データを取り扱う必要がある場合に、メモリ手段１０５にＲＧＢ画像データとエッジデータとを記憶する各領域１０５Ａ、１０５Ｂに加えて、別途、モノクロ画像データを格納する専用の領域を確保するようにすると、メモリ容量が増加し、ひいては装置のコストアップを招来することになる。
【００１３】
本発明は、上記の課題を解決するためになされたもので、メモリ容量が増加するなどの余分なコストアップを抑えつつ、多様な画像処理の要求に応えることができる画像処理装置を提供することを目的とする。
【課題を解決するための手段】
【００１４】
本発明の画像処理装置は、原稿を読み取る読取手段と、この読取手段で原稿を読み取って得られたＲＧＢ画像データに基づいて原稿の各領域における特徴抽出を行い、その結果をエッジデータとして生成してＲＧＢ画像データと共に出力するエッジデータ生成手段と、前記ＲＧＢ画像データに基づいてモノクロ画像データを生成するモノクロ画像処理手段と、前記ＲＧＢ画像データが格納される第１の領域と、前記エッジデータの格納とモノクロ画像データの格納とが兼用される第２の領域と、カラー印刷を行う場合にはＲＧＢ画像データを前記第１の領域に格納するとともに、前記エッジデータを第２の領域に格納し、また、読み取った原稿の電子ファイル化を行う場合にはＲＧＢ画像データを前記第１の領域に格納するとともに、前記モノクロ画像データを前記第２の領域に格納するデータ格納制御手段と、を備えることを特徴としている。
【００１５】
また、本発明の画像処理装置は、上記の構成において、前記モノクロ画像処理手段は、前記第１の領域の前段に設けられている前記エッジデータ生成手段から出力されるＲＧＢ画像データに基づいてモノクロ画像データを生成するものであることを特徴としている。
【００１６】
さらに、本発明の画像処理装置は、上記の構成において、前記第１の領域に格納されているＲＧＢ画像データを非可逆圧縮する非可逆圧縮手段と、前記第２の領域に格納されているエッジデータあるいはモノクロ画像データを可逆圧縮する可逆圧縮手段とを備えることを特徴としている。
【発明の効果】
【００１７】
本発明によれば、第１の領域には常にＲＧＢ画像データが記憶されるが、第２の領域はエッジデータの格納とモノクロ画像データの格納とが兼用される。このため、モノクロ画像データのみを格納する専用の記憶領域を別途確保する必要がなくなり、メモリ容量が増加するなどの余分なコストアップを抑えることができる。
【００１８】
また、ＲＧＢ画像データとエッジデータとを取り扱うだけでなく、同時にモノクロ画像データも取り扱えるので、読み取る原稿がカラーかモノクロかの種類に応じて、画像データをハードディスク、ＣＤ、ＤＶＤ等の記憶媒体に格納したり、通信ネットワークを通じてパーソナルコンピュータ等の他の装置に送信したりする際に、適切な電子ファイル化処理を行うことが可能になる。
【００１９】
さらに、本発明では、ＲＧＢ画像データを一旦第１の領域に格納した後に、このＲＧＢ画像データを読み出してモノクロ画像データを生成するのではなく、そのメモリ手段の前段に設けられているエッジデータ生成手段から出力されるＲＧＢ画像データを直接にモノクロ画像処理手段に入力してモノクロ画像データを生成するので、モノクロ画像データを迅速に生成することができ、画像データの処理能力が向上する。
【００２０】
さらにまた、本発明では、第１の領域に格納されるＲＧＢ画像データは非可逆圧縮手段で非可逆圧縮し、また、第２の領域に格納されるエッジデータあるいはモノクロ画像データは、可逆圧縮手段で可逆圧縮するので、これらの画像データをハードディスク、ＣＤ、ＤＶＤ等の記憶媒体に格納する場合の記憶容量を極力少なくすることができる。また、通信ネットワークを通じてパーソナルコンピュータ等の他の装置に送信したりする際にも通信データ量を少なくして通信処理速度を高めることができる。さらに、上記の記憶媒体に格納する際にも、画像データと文字データとをそれぞれ高圧縮して多量のデータベースとして登録して活用できるようになるなど、多様な画像処理の要求に応えることが可能になる。
【発明を実施するための最良の形態】
【００２１】
図１は本発明の実施の形態における画像処理装置の全体構成を示すブロック図である。
【００２２】
この実施の形態の画像処理装置１は、原稿を読み取るカラーＣＣＤ等からなる読取手段３、およびこの読取手段３から出力されるＲ、Ｇ、Ｂの色信号をそれぞれデジタル化してＲＧＢ画像データとして出力するＡ／Ｄ変換手段４が設けられている。
【００２３】
また、モノクロ画像及びＣＭＹＫ４色のトナーを用いてカラー画像を印刷する印刷手段５、カラー及びモノクロの画像データ、エッジデータを格納するハードディスク等の記憶媒体６、および図外の通信ネットワーを介して他の装置にこれらの画像データを送信するための通信処理手段７が設けられている。
【００２４】
画像処理装置１は、シェーディング補正などを行なう入力データ補正手段２０と、この入力データ補正手段２０で補正されたＲＧＢ画像データに基づいて原稿の各領域における特徴抽出を行ってこれにより得られるエッジデータを生成してＲＧＢ画像データと共に出力するエッジデータ生成手段２１と、入力データ補正手段２０で補正されたＲＧＢ画像データから読取手段３が読み取った原稿がカラー原稿かモノクロ原稿かを判別する判別手段２２と、ＲＧＢ画像データからモノクロ画像データを生成するモノクロ画像処理手段２３を備えている。
【００２５】
そして、モノクロ画像処理手段２３は、後述のメモリ手段２４の前段に設けられているエッジデータ生成手段２１から出力されるＲＧＢ画像データに基づいてモノクロ画像データを生成するように構成されている。
【００２６】
また、画像処理装置１は、ＲＡＭ等で構成されるメモリ手段２４を備えており、このメモリ手段２４は、ＲＧＢ画像データが格納される第１の領域２４Ａと、エッジデータとモノクロ画像データが格納される第２の領域２４Ｂが設けられている。
【００２７】
そして、第２の領域２４Ｂの前段には、エッジデータ生成手段２１で生成されるエッジデータとモノクロ画像処理手段２３で生成されるモノクロ画像データとのいずれか一方を選択して第２の領域２４Ｂに送出する第１データ選択手段２５が設けられている。
【００２８】
また、第１の領域２４Ａに格納されているＲＧＢ画像データと第２の領域２４Ｂに格納されているエッジデータとに基づいてＲＧＢ画像データをＣＭＹＫ画像データに変換して印刷手段５に出力する変換手段２６と、第１の領域２４Ａに格納されているＲＧＢ画像データを非可逆圧縮・伸長処理する非可逆圧縮伸長手段２７、第２の領域２４Ｂに格納されているエッジデータあるいはモノクロ画像データを可逆に圧縮・伸長処理する可逆圧縮伸長手段２８と、非可逆圧縮伸長手段２７で非可逆圧縮されたデータと可逆圧縮伸長手段２８で可逆圧縮されたデータのいずれか一方を選択して出力する第２データ選択手段２９、および上述の各手段２０〜２９の動作を総合的に制御するデータ格納制御手段３０を備えている。
【００２９】
次に、上記構成を備えた画像処理装置１において、各種の要求に応じた画像データの処理動作について説明する。
（１）カラー印刷モードが設定されている場合
図外の操作パネルなどからデータ格納制御手段３０に対してカラー印刷が設定された場合、これに応じたデータ格納制御手段３０からの指令により、判別手段２２およびモノクロ画像処理手段２３の動作が予め停止されるとともに、第１データ選択手段２５がエッジデータ生成手段２１からのエッジデータの出力を選択するように設定される。
【００３０】
この状態で、原稿が読取手段３で読み取られると、この読取手段３からはＲ、Ｇ、Ｂの色信号が取り出されるので、この色信号がＡ／Ｄ変換手段４でデジタル化されてＲＧＢ画像データとして出力され、次段の入力データ補正手段２０においてシェーディング補正が行なわれる。
【００３１】
次いで、エッジデータ生成手段２１において、ＲＧＢ画像データに基づいて原稿におけるエッジの抽出（例えば、文字等のエッジ部分の抽出、文字と画像の境界の抽出など））が行なわれ、抽出したエッジを示すエッジデータが生成される。
【００３２】
そして、このエッジデータ生成手段２１からはエッジデータとＲＧＢ画像データとが共に出力されるので、ＲＧＢ画像データは第１の領域２４Ａに、エッジデータは第１データ選択手段２５を介して第２の領域２４Ｂにそれぞれ格納される。
【００３３】
次いで、メモリ手段２４の各領域２４Ａ、２４Ｂに格納されているＲＧＢ画像データとエッジデータとは、データ格納制御手段３０によって共に読み出されて変換手段２６に送出されるので、変換手段２６において、ＲＧＢ画像データがエッジデータを参照しつつＣＭＹＫ画像データに変換されるとともに、印刷手段５に送出される。
【００３４】
印刷手段５では、ＣＭＹＫ画像データを静電潜像として図示しない感光体ドラム上に形成してこれを用紙上に転写、定着処理をすることによりカラー印刷が行われる。
【００３５】
なお、電子ソート処理などのように複数部数を連続してカラー印刷するときには、一部目の印刷を行う際に、この印刷処理に並行して、メモリ手段２４内の第１の領域２４Ａに格納されているＲＧＢ画像データが読み出されて非可逆圧縮伸長手段２７で非可逆圧縮処理（例えばＪＰＥＧなどの圧縮処理）が行われ、また、第２の領域２４Ｂに格納されているエッジデータが読み出されて可逆圧縮伸長手段２８で可逆圧縮処理（例えばＭＭＲなどの圧縮処理）が行われてそれぞれ記憶媒体６に記憶される。
【００３６】
そして、２部目以降は、記憶媒体６からＲＧＢ画像データとエッジデータとが読み出され、ＲＧＢ画像データは非可逆圧縮伸長手段２７で非可逆伸長処理が行われ、また、エッジデータは可逆圧縮伸長手段２８で可逆伸長処理が行われた後、両データが変換手段２６に送出されて印刷手段５でカラー印刷される。
（２）モノクロ印刷モードが設定されている場合
この場合には、データ格納制御手段３０からの指令により、判別手段２２の動作が予め停止される一方、モノクロ画像処理手段２３が起動され、さらに第１データ選択手段２５がモノクロ画像処理手段２３からのモノクロ画像データの出力を選択するように設定される。
【００３７】
そして、モノクロ原稿が読取手段３で読み取られると、この読取手段３からはＲ，Ｇ，Ｂの色信号が取り出される。その後のＡ／Ｄ変換手段４からエッジデータ生成手段２１までの処理動作は上記（１）のカラー印刷モードが設定された場合と同じである。
【００３８】
こうしてエッジデータ生成手段２１により領域判定された後に出力されるＲＧＢ画像データは、モノクロ画像処理手段２３に送出され、ここでモノクロ画像データが生成される。そして、このモノクロ画像データは第１データ選択手段２５を介してメモリ手段２４内の第２の領域２４Ｂに格納される。
【００３９】
続いて、この第２の領域２４Ｂに格納されているモノクロ画像データは、データ格納制御手段３０により読み出されて変換手段２６を介して印刷手段５に送出されてモノクロ印刷が行われる。
（３）電子ファイル化が設定されている場合
原稿を読み取って得られる画像データを通信ネットワークを介して他の機器に送信したり、ハードディスク等の記憶媒体に格納するなどの電子ファイル化を行う際には、画像データについて各種処理が要求されるので、各々のケースについて説明する。
ａ．原稿をカラーの画像データとして電子ファイル化を行う場合
この場合には、データ格納制御手段３０からの指令により、第２データ選択手段２９が非可逆圧縮伸長手段２７からの出力を選択するように予め設定される。
【００４０】
そして、原稿が読取手段３で読み取られてから、ＲＧＢ画像データがメモリ手段２４の第１の領域２４Ａに記憶され、また、エッジデータが第１データ選択手段２５を介して第２の領域２４Ｂに記憶されるまでの動作は上記（１）のカラー印刷モードが設定された場合と同じである。
【００４１】
そして、他の機器にカラーの画像データを送信する場合には、メモリ手段２４内の第１の領域２４Ａに格納されているＲＧＢ画像データが非可逆圧縮伸長手段２７で非可逆圧縮処理が行われた後、第２データ選択手段２９および通信処理手段７を介して通信ネットワーに送出される。
【００４２】
また、記憶媒体６に電子ファイル化して格納する場合には、第１の領域２４Ａに格納されているＲＧＢ画像データが非可逆圧縮伸長手段２７で非可逆圧縮処理された後、記憶媒体６に送出される。
ｂ．原稿をモノクロの画像データとして電子ファイル化を行う場合
この場合には、データ格納制御手段３０からの指令により、第２データ選択手段２９が可逆圧縮伸長手段２８からの出力を選択するように予め設定される。
【００４３】
そして、原稿が読取手段３で読み取られてから、モノクロ画像処理手段２３で生成されたモノクロ画像データが第１データ選択手段２５を介して第２の領域２４Ｂに記憶されるまでの動作は上記（２）のモノクロ印刷モードが設定された場合と同じである。
【００４４】
そして、他の機器にモノクロ画像データを送信する場合には、メモリ手段２４内の第２の領域２４Ｂに格納されているモノクロ画像データが可逆圧縮伸長手段２８で可逆圧縮処理（例えばＭＭＲなどの圧縮処理）が行われた後、第２データ選択手段２９および通信処理手段７を介して通信ネットワークに送出される。
【００４５】
また、記憶媒体６に電子ファイル化して格納する場合には、第２の領域２４Ｂに格納されているモノクロ画像データが可逆圧縮伸長手段２８で可逆圧縮処理され後、記憶媒体６に送出される。
ｃ．ＡＣＳ（auto color selection）機能を利用して電子ファイル化を行う場合
この場合には、データ格納制御手段３０からの指令により、判別手段２２およびモノクロ画像処理手段２３が予め起動されるとともに、第１データ選択手段２５がモノクロ画像処理手段２３からのモノクロ画像データの出力を選択するように設定される。
【００４６】
そして、読取手段３で原稿を読み取りながら判定手段２２において、入力データ補正手段２０で補正後のＲＧＢ画像データからカラーと判定した画素とモノクロと判定した画素とをカウントし、そのカウント結果から原稿がカラー原稿かモノクロ原稿かを判別する。
【００４７】
この判別結果が最終的に出るまでの間は、エッジデータ生成手段２１により領域判定された後に出力されるＲＧＢ画像データがメモリ手段２４の第１の領域２４Ａに送出されて記憶されるとともに、このＲＧＢ画像データはモノクロ画像処理手段２３に送出されてモノクロ画像データが生成され、このモノクロ画像データが第１データ選択手段２５を介して第２の領域２４Ｂに記憶される。
【００４８】
ここで、判別手段２２によって、読み取った原稿がカラー原稿であると最終的に判別された場合には、その判別結果がデータ格納制御手段３０に与えられる。そして、他の機器にカラーの画像データを送信する場合、データ格納制御手段３０は、判別手段２２の判別結果に基づいて、第２データ選択手段２９が非可逆圧縮伸長手段２７の出力を選択する。これにより、第１の領域２４Ａに記憶されているＲＧＢ画像データが読み出されて非可逆圧縮伸長手段２７で非可逆圧縮処理された後、第２データ選択手段２９および通信処理手段７を介して通信ネットワーに送出される。
【００４９】
また、記憶媒体６に電子ファイル化して格納する場合には、このＲＧＢ画像データが非可逆圧縮伸長手段２７で非可逆圧縮処理された後、記憶媒体６に送出される。
【００５０】
一方判別手段２２によって、読み取った原稿がモノクロ原稿であると最終的に判別された場合には、その判別結果がデータ格納制御手段３０に与えられる。そして、他の機器にモノクロ画像データを送信する場合、データ格納制御手段３０は、判別手段２２の判別結果に基づいて、第２データ選択手段２９が可逆圧縮伸長手段２８の出力を選択する。これにより、第２の領域２４Ｂに格納されているモノクロ画像データが読み出されて可逆圧縮伸長手段２８で可逆圧縮処理された後、第２データ選択手段２９および通信処理手段７を介して通信ネットワーに送出される。
【００５１】
また、記憶媒体６に電子ファイル化して格納する場合には、このモノクロ画像データが可逆圧縮伸長手段２８で可逆圧縮処理された後、記憶媒体６に送出される。
【００５２】
ところで、読取手段３で読み取られる原稿がカラー原稿かモノクロ原稿かを判別する手法として、例えば、一度原稿を読み取ってカラーかモノクロかを判別した後に、この判別結果に基づいて再度原稿を読み取って画像データを蓄積する方法も考えられる。しかし、この方法を採用すると、原稿を二度読み取る必要があるために余分な時間がかってしまう。
【００５３】
これに対して、この実施の形態では、原稿を読み取りながら判別手段２２でカラーかモノクロかを判別しつつ、ＲＧＢ画像データとモノクロ画像データとを同時並行的にメモリ手段２４に格納し、最終的な判別結果に応じていずれか一方の画像データを送信したり記憶媒体６に記憶させたりしているので、画像データを他の装置へ送信したり、記憶媒体６に記憶する場合の処理時間を短縮化することができる。
【００５４】
また、このＡＣＳ機能を利用して電子ファイル化を行う場合、読み取った原稿がカラー原稿のときには、エッジデータ生成手段２１で得られるエッジデータはメモリ手段２４に記憶されないのでＲＧＢ画像データを適切にＣＭＹＫ画像データに変換することができないが、上記のように、画像データを他の装置に送信したり、あるいはこれらのデータを記憶媒体６に格納するなどの電子ファイル化は、ＲＧＢ画像データのままで行えるので、エッジデータがメモリ手段２４に記憶されなくても、電子ファイル化を支障なく行うことができる。
ｄ．高圧縮電子ファイル化を行う場合
この場合には、データ格納制御手段３０からの指令により、判別手段２２の動作が予め停止される一方、モノクロ画像処理手段２３が起動され、さらに第１データ選択手段２５がモノクロ画像処理手段２３からのモノクロ画像データの出力を選択するように設定される。
【００５５】
この状態で、原稿が読取手段３で読み取られるとこの読取手段３からはＲ，Ｇ，Ｂの信号が取り出され、この信号がＡ／Ｄ変換手段４でデジタル化されてＲＧＢ画像データとして出力され、次段の入力データ補正手段２０においてシェーディング補正が行なわれる。
【００５６】
次いで、エッジデータ生成手段２１において、ＲＧＢ画像データに基づいて文字部分のエッジの抽出が行なわれ、抽出されたエッジ部分の画像データのみがモノクロ画像処理手段２３に送出される。また、それ以外の部分は背景用のＲＧＢ画像データとして出力されて第１の領域２４Ａに記憶される。そして、モノクロ画像処理手段２３で２値化された主として文字を示すモノクロ画像データは、第１データ選択手段２５を介して第２の領域２４Ｂに記憶される。
【００５７】
ここで、他の機器にこれらの画像データを送信する場合、第２の領域２４Ｂに格納されているモノクロ画像データは、可逆圧縮伸長手段２８で可逆圧縮処理された後、第２データ選択手段２９を介して通信処理手段７に送出される。また、第１の領域２４Ａに格納されているＲＧＢ画像データは、非可逆圧縮伸長手段２７で高い圧縮率でもって非可逆圧縮処理された後、第２データ選択手段２９を介して通信処理手段７に送出される。
【００５８】
そして、通信処理手段７において両画像データが一つの電子ファイルとしてまとめられてから通信ネットワークを介して他の装置に送信される。この場合、ＲＧＢ画像データは高い圧縮率で圧縮されているのでデータ容量は小さい。また、主として文字を含むモノクロ画像データは可逆で圧縮されているので歪みが少ない。したがって、両データを電子ファイル化して送信する場合のデータ容量は全体として少なくなり、高速伝送を行うことができる。
【００５９】
通信ネットワークを介してこれらの画像データを受信した装置において、両画像データを伸長して一つの画面上に表示した場合、背景となる画像データは幾分歪みがあるものの、モノクロ画像データにより生成される文字は明確に読み取ることができる。このため、十分な実用性がある。
【００６０】
また、記憶媒体６に電子ファイル化して格納する場合には、ＲＧＢ画像データは、非可逆圧縮伸長手段２７で高い圧縮率でもって非可逆圧縮処理され、また、モノクロ画像データは可逆圧縮伸長手段２８で可逆圧縮処理された後、一つの電子ファイルとして記憶媒体６に送出される。
【図面の簡単な説明】
【００６１】
【図１】本発明の実施の形態における画像処理装置の全体構成を示すブロック図である。
【図２】従来の画像形成装置の全体構成を示すブロック図である。
【符号の説明】
【００６２】
１    画像処理装置
３    読取手段
２１    エッジデータ生成手段
２３    モノクロ画像処理手段
２４    メモリ手段
２４Ａ  第１の領域
２４Ｂ  第２の領域
２７    非可逆圧縮伸長手段
２８    可逆圧縮伸長手段
３０    データ格納制御手段
【図１】
2006186858.tif 000003
【図２】
2006186858.tif 000004